(57)【要約】【課題】走行中、車速が安定しなくてもワンペダル操作により定速走行モードに入る車両の運転支援制御装置を提供すること。【解決手段】駆動力制御手段としてのＣＶＴコントロールユニット８及びエンジンコントロールユニット９と、運転支援コントロールユニット１４と、を備える。運転支援コントロールユニット１４に、目標車速VSP*が設定されると、実車速VSPを目標車速VSP*に一致させる駆動力制御により車速を維持して走行する定速走行モードを実行する定速走行制御部１４ａを設ける。定速走行制御部１４ａは、走行中、ドライバーのアクセル操作によるアクセル開度APOが、中間アクセル開度域に設定された下側閾値αから上側閾値βまでの定速領域Ｃに入ると、定速領域Ｃに入ったときの実車速VSPを目標車速VSP*に設定し、定速走行モードを開始する。【選択図】図４
2019156326.tif 000002
【特許請求の範囲】
【請求項１】
走行用駆動源から駆動輪へ伝達される駆動力を制御する駆動力制御手段と、
ドライバーによる運転操作負担を軽減する運転支援制御を行う運転支援制御手段と、を備え、
前記運転支援制御手段に、目標車速が設定されると、実車速を目標車速に一致させる駆動力制御により車速を維持して走行する定速走行モードを実行する定速走行制御部を設け、
前記定速走行制御部は、走行中、ドライバーのアクセル操作によるアクセル開度が、中間アクセル開度域に設定された下側閾値から上側閾値までの定速領域に入ると、前記定速領域に入ったときの実車速を前記目標車速に設定し、前記定速走行モードを開始する
ことを特徴とする車両の運転支援制御装置。
【請求項２】
請求項１に記載された車両の運転支援制御装置において、
前記定速走行制御部は、全アクセル開度領域を、前記下側閾値から前記上側閾値までのアクセル開度幅による前記定速領域と、前記上側閾値より高開度の加速領域と、前記下側閾値より低開度の減速領域とに分け、
前記下側閾値と前記上側閾値を、車速上昇によるロード/ロード駆動力の上昇勾配に応じて車速が高くなるほど高アクセル開度値に設定する
ことを特徴とする車両の運転支援制御装置。
【請求項３】
請求項１又は２に記載された車両の運転支援制御装置において、
前記定速走行制御部は、前記定速走行モードの実行中、ドライバーのアクセル踏み込み操作によりアクセル開度が前記加速領域に入った後、アクセル踏み戻し操作によりアクセル開度が前記定速領域に入ると、前記定速領域に入ったときの実車速に前記目標車速を書き替え、
前記定速走行モードの実行中、ドライバーのアクセル踏み戻し操作によりアクセル開度が前記減速領域に入った後、アクセル踏み込み操作によりアクセル開度が前記定速領域に入ると、前記定速領域に入ったときの実車速に前記目標車速を書き替える
ことを特徴とする車両の運転支援制御装置。
【請求項４】
請求項３に記載された車両の運転支援制御装置において、
前記定速走行制御部は、定速走行モードの実行中、ドライバーによりアクセル踏み増し操作が行われると前記上側閾値を狭めた後、徐々に前記上側閾値を元に戻し、
定速走行モードの実行中、ドライバーによりアクセル踏み戻し操作が行われると前記下側閾値を狭めた後、徐々に前記下側閾値を元に戻す
ことを特徴とする車両の運転支援制御装置。
【請求項５】
請求項３又は４に記載された車両の運転支援制御装置において、
前記定速走行制御部は、前記定速走行モードを実行中、アクセル開度が定速領域に入ったままであると、前記目標車速と実車速の偏差を用いる車速フィードバック制御と、目標加速度をゼロとする加速度フィードバック制御を行い、
前記定速走行モードの実行中、ドライバーのアクセル踏み込み操作によりアクセル開度が前記加速領域に入ると、目標加速度を正とする加速度フィードバック制御を行い、
前記定速走行モードの実行中、ドライバーのアクセル踏み戻し操作によりアクセル開度が前記減速領域に入ると、目標加速度を負とする加速度フィードバック制御を行う
ことを特徴とする車両の運転支援制御装置。
【請求項６】
請求項５に記載された車両の運転支援制御装置において、
前記定速走行制御部は、前記加速領域での加速度フィードバック制御中、実車速がそのときの目標車速を超えていると前記車速フィードバック制御を禁止し、実車速がそのときの目標車速以下であると前記車速フィードバック制御を許可し、
前記減速領域での加速度フィードバック制御中、実車速がそのときの目標車速以下であると前記車速フィードバック制御を禁止し、実車速がそのときの目標車速を超えていると前記車速フィードバック制御を許可する
ことを特徴とする車両の運転支援制御装置。
【請求項７】
請求項５又は６に記載された車両の運転支援制御装置において、
前記定速走行制御部は、走行負荷抵抗に対して車速を維持するのに必要なロード/ロード駆動力を推定し、
前記加速度フィードバック制御で用いられる正負の目標加速度を、前記ロード/ロード駆動力を基準とし、最大駆動力とゼロ駆動力を用いて算出される余剰駆動力に基づいて算出する
ことを特徴とする車両の運転支援制御装置。
【請求項８】
請求項１から７までの何れか一項に記載された車両の運転支援制御装置において、
前記駆動力制御手段として、駆動系に搭載された無段変速機の変速比を制御するＣＶＴ制御手段と、前記走行用駆動源の出力トルクを制限するトルクダウン制御を行う走行用駆動源制御手段と、を有し、
前記定速走行制御部は、定速走行制御を実現する目標駆動力を算出し、前記目標駆動力を、前記走行駆動源の回転数とトルクの関係による動作線マップを用いて目標変速比と目標トルクに配分し、
前記ＣＶＴ制御手段に対して配分した前記目標変速比を得る変速要求を出力し、前記走行用駆動源制御手段に対して配分した前記目標トルクを得るトルクダウン要求を出力する
ことを特徴とする車両の運転支援制御装置。
【発明の詳細な説明】
【技術分野】
【０００１】
本発明は、定速走行制御機能を備える車両の運転支援制御装置に関する。
【背景技術】
【０００２】
従来、車速が所定値以上かつ所定期間での車速変動が所定値以下の条件が成立すると、アクセルペダルの踏み込み量に応じて設定される車速を維持するスピードコントロール制御モードを開始する。そして、スピードコントロール制御モードを開始した後、アクセル踏み込み速度又はアクセル踏み戻し速度が所定速度以上である場合には、車速が所定の変化率で変化するよう駆動力を制御する車速制御装置が記載されている（例えば、特許文献１参照）。
【先行技術文献】
【特許文献】
【０００３】
【特許文献１】特開２０１６−１８５７４４号公報
【発明の概要】
【発明が解決しようとする課題】
【０００４】
従来装置にあっては、車速が所定値以上かつ所定期間での車速変動が所定値以下の条件が成立しない限り車速を維持するスピードコントロール制御モードを開始しない。このため、勾配変化が大きい路面での走行中等のように、車速が変化して安定しないシーンにおいてはスピードコントロール制御モードに入れない、という問題があった。
【０００５】
本発明は、上記問題に着目してなされたもので、走行中、車速が安定しなくてもワンペダル操作により定速走行モードに入ることを目的とする。
【課題を解決するための手段】
【０００６】
上記目的を達成するため、本発明の車両の運転支援制御装置は、駆動力制御手段と、運転支援制御手段と、を備える。
運転支援制御手段に、目標車速が設定されると、実車速を目標車速に一致させる駆動力制御により車速を維持して走行する定速走行モードを実行する定速走行制御部を設ける。
定速走行制御部は、走行中、ドライバーのアクセル操作によるアクセル開度が、中間アクセル開度域に設定された下側閾値から上側閾値までの定速領域に入ると、定速領域に入ったときの実車速を目標車速に設定し、前記定速走行モードを開始する。
【発明の効果】
【０００７】
このように、定速走行モードの開始条件を、ドライバーのアクセル操作条件により与えることで、走行中、車速が安定しなくてもワンペダル操作により定速走行モードに入ることができる。
【図面の簡単な説明】
【０００８】
【図１】実施例１の運転支援制御装置が適用されたベルト式無段変速機を搭載するエンジン車の駆動系と制御系を示す全体システム図である。
【図２】自動変速モードでの無段変速制御をバリエータにより実行する際に用いられるＤレンジ無段変速スケジュールの一例を示す変速スケジュール図である。
【図３】実施例１の定速走行制御システムを示す概要図である。
【図４】実施例１の運転支援コントロールユニットの定速走行制御部にて実行される定速走行制御処理の流れを示すフローチャートである。
【図５】図４の定速走行制御処理で用いる定速領域と加速領域と減速領域のアクセル開度と車速による設定例を示す図である。
【図６】アクセル踏み増し操作とアクセル踏み戻し操作による定速領域の縮小作用を示すタイムチャートである。
【図７】目標車速を書き替える目標車速セット作用の一例を示すタイムチャートである。
【図８】図４の定速走行制御処理の定速領域と加速領域と減速領域で用いる車速フィードバック制御と加速度フィードバック制御を整理した表を示す図である。
【図９】図４の定速走行制御処理で用いる車速フィードバック制御と加速度フィードバック制御による駆動力制御処理の流れを示すフローチャートである。
【図１０】図９の駆動力制御処理の加速度フィードバック制御においてある車速で切り取ったときの平坦路・降坂路・登坂路での目標加速度の設定を示す目標加速度設定説明図である。
【図１１】図９の駆動力制御処理の加速度フィードバック制御において余剰駆動力を算出する際に用いる加速割り付け係数の加速領域での設定例を示す図である。
【図１２】図９の駆動力制御処理において目標駆動力をエンジントルクとエンジン回転数に配分するときに用いる動作線マップの一例を示すマップ図である。
【図１３】定速→加速→定速→加速→定速→減速→定速へと移行する走行シーンにおけるアクセル開度・車速（目標車速）・車速フィードバック制御・加速度フィードバック制御の各特性を示すタイムチャートである。
【図１４】加速領域での加速度フィードバック制御中に実車速が目標車速よりも低下するシーンにおけるアクセル開度・車速（目標車速）・車速フィードバック制御・加速度フィードバック制御の各特性を示すタイムチャートである。
【発明を実施するための形態】
【０００９】
以下、本発明の車両の運転支援制御装置を実施するための形態を、図面に示す実施例１に基づいて説明する。
【実施例１】
【００１０】
実施例１における運転支援制御装置は、トルクコンバータと前後進切替機構とバリエータと終減速機構により構成されるベルト式無段変速機を搭載したエンジン車（車両の一例）に適用したものである。以下、実施例１の構成を、「全体システム構成」、「定速走行制御システムの構成」、「定速走行制御処理構成」、「駆動力制御処理構成」に分けて説明する。
【００１１】
［全体システム構成］
図１は、実施例１の車両の運転支援制御装置が適用されたエンジン車の駆動系と制御系を示す。以下、図１に基づいて全体システム構成を説明する。
【００１２】
エンジン車の駆動系は、図１に示すように、エンジン１と、トルクコンバータ２と、前後進切替機構３と、バリエータ４と、終減速機構５と、駆動輪６，６と、を備えている。
ここで、ベルト式無段変速機ＣＶＴは、トルクコンバータ２と前後進切替機構３とバリエータ４と終減速機構５を図外の変速機ケースに内蔵することにより構成される。
【００１３】
エンジン１は、ドライバーによるアクセル操作による出力トルクの制御（通常制御）以外に、外部からのエンジン制御信号により出力トルクを制御可能である。このエンジン１には、点火時期リタード制御やスロットルバルブ開閉動作等によりトルクダウン制御を行う出力トルク制御アクチュエータ１０を有する。
【００１４】
トルクコンバータ２は、トルク増大機能やトルク変動吸収機能を有する流体継手による発進要素である。トルク増大機能やトルク変動吸収機能を必要としないとき、エンジン出力軸１１（＝トルクコンバータ入力軸）とトルクコンバータ出力軸２１を直結可能なロックアップクラッチ２０を有する。このトルクコンバータ２は、ポンプインペラ２３と、タービンランナ２４と、ケースにワンウェイクラッチ２５を介して設けられたステータ２６と、を構成要素とする。
【００１５】
前後進切替機構３は、バリエータ４への入力回転方向を前進走行時の正転方向と後退走行時の逆転方向で切り替える機構である。この前後進切替機構３は、ダブルピニオン式遊星歯車３０と、複数枚のクラッチプレートによる前進クラッチ３１と、複数枚のブレーキプレートによる後退ブレーキ３２と、を有する。前進クラッチ３１は、Ｄレンジ等の前進走行レンジ選択時に前進クラッチ圧Pfcにより油圧締結される。後退ブレーキ３２は、Ｒレンジ等の後退走行レンジ選択時に後退ブレーキ圧Prbにより油圧締結される。なお、前進クラッチ３１と後退ブレーキ３２は、Ｎレンジ（ニュートラルレンジ）の選択時、前進クラッチ圧Pfcと後退ブレーキ圧Prbをドレーンすることで、いずれも解放される。
【００１６】
バリエータ４は、プライマリプーリ４２と、セカンダリプーリ４３と、プーリベルト４４と、を有し、ベルト接触径の変化により変速比（バリエータ入力回転とバリエータ出力回転の比）を無段階に変化させる無段変速機能を備える。
【００１７】
プライマリプーリ４２は、バリエータ入力軸４０の同軸上に配された固定プーリ４２ａとスライドプーリ４２ｂにより構成され、スライドプーリ４２ｂは、プライマリ圧室４５に導かれるプライマリ圧Ppriによりスライド動作する。
【００１８】
セカンダリプーリ４３は、バリエータ出力軸４１の同軸上に配された固定プーリ４３ａとスライドプーリ４３ｂにより構成され、スライドプーリ４３ｂは、セカンダリ圧室４６に導かれるセカンダリ圧Psecによりスライド動作する。
【００１９】
プーリベルト４４は、プライマリプーリ４２のＶ字形状をなすシーブ面と、セカンダリプーリ４３のＶ字形状をなすシーブ面に掛け渡されている。このプーリベルト４４は、環状リングを内から外へ多数重ね合わせた２組の積層リングと、打ち抜き板材により形成され、２組の積層リングに沿って挟み込みにより環状に積層して取り付けられた多数のエレメントにより構成されている。なお、プーリベルト４４としては、プーリ進行方向に多数配列したチェーンエレメントを、プーリ軸方向に貫通するピンにより結合したチェーンタイプのベルトであっても良い。
【００２０】
終減速機構５は、バリエータ出力軸４１からのバリエータ出力回転を減速すると共に差動機能を与えて左右の駆動輪６，６に伝達する機構である。この終減速機構５は、減速ギヤ機構として、バリエータ出力軸４１に設けられたアウトプットギヤ５２と、アイドラ軸５０に設けられたアイドラギヤ５３及びリダクションギヤ５４と、デフケースの外周位置に設けられたファイナルギヤ５５と、を有する。そして、差動ギヤ機構として、左右のドライブ軸５１，５１に介装されたディファレンシャルギヤ５６を有する。
【００２１】
エンジン車の制御系は、図１に示すように、油圧制御系である油圧制御ユニット７と、電子制御系であるＣＶＴコントロールユニット８と、エンジンコントロールユニット９と、運転支援コントロールユニット１４と、を備えている。
【００２２】
油圧制御ユニット７は、プライマリ圧室４５に導かれるプライマリ圧Ppri、セカンダリ圧室４６に導かれるセカンダリ圧Psec、前進クラッチ３１への前進クラッチ圧Pfc、後退ブレーキ３２への後退ブレーキ圧Prb、等を調圧するユニットである。この油圧制御ユニット７は、走行用駆動源のエンジン１により回転駆動されるオイルポンプ７０と、オイルポンプ７０からの吐出圧に基づいて各種の制御圧を調圧する油圧制御回路７１と、を備える。
【００２３】
油圧制御回路７１には、ライン圧ソレノイド弁７２と、プライマリ圧ソレノイド弁７３と、セカンダリ圧ソレノイド弁７４と、セレクトソレノイド弁７５と、ロックアップ圧ソレノイド弁７６と、を有する。なお、各ソレノイド弁７２，７３，７４，７５，７６は、ＣＶＴコントロールユニット８から出力される制御指令値によって各指令圧に調圧する。
【００２４】
ライン圧ソレノイド弁７２は、ＣＶＴコントロールユニット８から出力されるライン圧指令値に応じ、オイルポンプ７０からの吐出圧を、指令されたライン圧PLに調圧する。このライン圧PLは、各種の制御圧を調圧する際の元圧であり、駆動系を伝達するトルクに対してベルト滑りやクラッチ滑りを抑える油圧とされる。
【００２５】
プライマリ圧ソレノイド弁７３は、ＣＶＴコントロールユニット８から出力されるプライマリ圧指令値に応じ、ライン圧PLを元圧として指令されたプライマリ圧Ppriに減圧調整する。セカンダリ圧ソレノイド弁７４は、ＣＶＴコントロールユニット８から出力されるセカンダリ圧指令値に応じ、ライン圧PLを元圧として指令されたセカンダリ圧Psecに減圧調整する。
【００２６】
セレクトソレノイド弁７５は、ＣＶＴコントロールユニット８から出力される前進クラッチ圧指令値又は後退ブレーキ圧指令値に応じ、ライン圧PLを元圧として指令された前進クラッチ圧Pfc又は後退ブレーキ圧Prbに減圧調整する。
【００２７】
ロックアップ圧ソレノイド弁７６は、ＣＶＴコントロールユニット８から出力されるロックアップ圧指令値に応じ、ロックアップクラッチ２０を締結/スリップ締結/解放するロックアップ制御圧PL/Uを調整する。
【００２８】
ＣＶＴコントロールユニット８は、ライン圧制御や変速制御や前後進切替制御やロックアップ制御やベルト滑り保護制御等を行う。ライン圧制御では、スロットル開度等に応じた目標ライン圧を得る指令値をライン圧ソレノイド弁７２に出力する。変速制御では、目標変速比（目標プライマリ回転Npri*）を決めると、決めた目標変速比（目標プライマリ回転Npri*）を得る指令値をプライマリ圧ソレノイド弁７３及びセカンダリ圧ソレノイド弁７４に出力する。前後進切替制御では、選択されているレンジ位置に応じて前進クラッチ３１と後退ブレーキ３２の締結/解放を制御する指令値をセレクトソレノイド弁７５に出力する。ロックアップ制御では、ロックアップクラッチ２０を締結/スリップ締結/解放するロックアップ制御圧PL/Uを制御する指令値をロックアップ圧ソレノイド弁７６に出力する。ベルト滑り保護制御では、プーリベルト４４が滑りそうなとき、エンジン１の出力トルクを制限するトルクダウン制御により変速機入力トルクを下げることで、ベルト滑りを抑える。
【００２９】
ＣＶＴコントロールユニット８には、プライマリ回転センサ８０、車速センサ８１、セカンダリ回転センサ８２、油温センサ８３、インヒビタスイッチ８４、ブレーキスイッチ８５、タービン回転センサ８６等からの情報が入力される。エンジンコントロールユニット９には、エンジン回転センサ１２等からの情報が入力される。運転支援コントロールユニット１４には、アクセル開度センサ８７、定速走行選択スイッチ８８等からの情報が入力される。なお、定速走行選択スイッチ８８は、ドライバーの意図により通常走行モードか定速走行モードかを選択するスイッチである。
【００３０】
ＣＶＴコントロールユニット８とエンジンコントロールユニット９と運転支援コントロールユニット１４は、CAN通信線１３により情報交換可能に接続されている。
【００３１】
図２は、Ｄレンジ選択時に自動変速モードでの無段変速制御をバリエータ４により実行する際に用いられるＤレンジ無段変速スケジュールの一例を示す。
【００３２】
「Ｄレンジ変速モード」は、車両運転状態に応じて変速比を自動的に無段階に変更する自動変速モードである。「Ｄレンジ変速モード」での変速制御は、車速VSP（車速センサ８１）とアクセル開度APO（アクセル開度センサ８７）により特定される図２のＤレンジ無段変速スケジュール上での運転点（VSP,APO）により、目標プライマリ回転数Npri*を決める。そして、プライマリ回転センサ８０からのプライマリ回転数Npriを、目標プライマリ回転数Npri*に一致させるプーリ油圧制御により行われる。
【００３３】
即ち、「Ｄレンジ変速モード」で用いられるＤレンジ無段変速スケジュールは、図２に示すように、運転点（VSP,APO）に応じて最Low変速比と最High変速比による変速比幅の範囲内で変速比を無段階に変更するように設定されている。例えば、車速VSPが一定のときは、アクセル踏み込み操作を行うと目標プライマリ回転数Npri*が上昇してダウンシフト方向に変速し、アクセル踏み戻し操作を行うと目標プライマリ回転数Npri*が低下してアップシフト方向に変速する。アクセル開度APOが一定のときは、車速VSPが上昇するとアップシフト方向に変速し、車速VSPが低下するとダウンシフト方向に変速する。
【００３４】
［定速走行制御システムの構成］
以下、図３に基づいて定速走行制御システムの構成を説明する。
定速走行制御システムのハード構成は、図３に示すように、エンジン１（走行用駆動源）と、ベルト式無段変速機ＣＶＴ（無段変速機：トルクコンバータ２、切替機構３、バリエータ４、終減速機構５）と、駆動輪６と、を備えている。
【００３５】
ベルト式無段変速機ＣＶＴのトルクコンバータ２は、締結によりエンジン出力軸１１（＝トルクコンバータ入力軸）とトルクコンバータ出力軸２１を直結するロックアップクラッチ２０を有する。前後進切替機構３は、前進走行レンジ（Ｄレンジ、Ｌレンジ等）の選択により締結される前進クラッチ３１と、後退走行レンジ（Ｒレンジ）の選択により締結される後退ブレーキ３２と、を並列に有する。バリエータ４は、プライマリプーリ４２と、セカンダリプーリ４３と、両プーリ４２，４３に掛け渡されるプーリベルト４４と、を有する。
【００３６】
定速走行制御システムのソフト構成は、図３に示すように、CAN通信線１３により接続されるＣＶＴコントロールユニット８（駆動力制御手段）と、エンジンコントロールユニット９（走行用駆動源コントロールユニット：駆動力制御手段）と、運転支援コントロールユニット１４と、を備えている。
【００３７】
ＣＶＴコントロールユニット８は、運転支援コントロールユニット１４からCAN通信線１３を介して変速要求を入力すると、通常の変速制御（Ｄレンジ無段変速スケジュールを用いた無段変速制御）に優先して運転支援対応の変速制御が実行される。運転支援対応の変速制御では、バリエータ４の変速比を、変速要求による目標変速比とするアップシフト又はダウンシフトが行われる。
【００３８】
エンジンコントロールユニット９は、エンジン１から駆動輪６へ伝達される駆動力を制御する駆動力制御手段である。運転支援コントロールユニット１４からCAN通信線１３を介してトルクダウン要求を入力すると、通常のエンジン制御（アクセル開度に応じたエンジン出力制御）に優先して運転支援対応のトルクダウン制御が実行される。運転支援対応のトルクダウン制御では、エンジン１の出力トルクを、トルクダウン要求による目標トルクに制限する制御が行われる。
【００３９】
運転支援コントロールユニット１４は、自動ブレーキ制御や自動駐車制御等のように、ドライバーによる運転操作（アクセル操作、ブレーキ操作、ステアリング操作等）の負担を軽減する各種の運転支援制御を行う。この運転支援コントロールユニット１４には、目標車速が設定されると、実車速を目標車速に一致させる駆動力制御により車速を維持して走行する定速走行モードを実行する定速走行制御部１４ａが設けられる。
【００４０】
定速走行制御部１４ａは、走行中、ドライバーのアクセル操作によるアクセル開度が、中間アクセル開度域に設定された下側閾値αから上側閾値βまでの定速領域Ｃに入ると、定速領域に入った瞬間の実車速を目標車速に設定し、定速走行モードを開始する。
【００４１】
定速走行制御部１４ａは、全アクセル開度領域を、下側閾値αから上側閾値βまでのアクセル開度幅による定速領域Ｃと、上側閾値βより高開度の加速領域Ａと、下側閾値αより低開度の減速領域Ｂとに分けている。そして、下側閾値αと上側閾値βを、車速上昇によるロード/ロード駆動力（以下、「R/L駆動力」という。）の上昇勾配に応じて車速VSPが高くなるほど高アクセル開度値に設定している（図５参照）。
【００４２】
定速走行制御部１４ａは、定速走行モードの実行中、ドライバーのアクセル踏み込み操作によりアクセル開度APOが加速領域Ａに入った後、アクセル踏み戻し操作によりアクセル開度APOが定速領域Ｃに入ると、定速領域Ｃに入った瞬間の実車速に目標車速を書き替える。そして、定速走行モードの実行中、ドライバーのアクセル踏み戻し操作によりアクセル開度APOが減速領域Ｂに入った後、アクセル踏み込み操作によりアクセル開度APOが定速領域Ｃに入ると、定速領域Ｃに入った瞬間の実車速に目標車速を書き替える（図１３参照）。
【００４３】
定速走行制御部１４ａは、定速走行モードの実行中、ドライバーによりアクセル踏み増し操作が行われると上側閾値βを狭めた後、徐々に上側閾値βを元に戻す。定速走行モードの実行中、ドライバーによりアクセル踏み戻し操作が行われると下側閾値αを狭めた後、徐々に下側閾値αを元に戻す（図６参照）。
【００４４】
定速走行制御部１４ａは、定速走行モードを実行中、アクセル開度APOが定速領域Ｃに入ったままであると、目標車速と実車速の偏差を用いる車速フィードバック制御と、目標加速度をゼロとする加速度フィードバック制御を行う。定速走行モードの実行中、ドライバーのアクセル踏み込み操作によりアクセル開度APOが加速領域Ａに入ると、目標加速度を正とする加速度フィードバック制御を行う。定速走行モードの実行中、ドライバーのアクセル踏み戻し操作によりアクセル開度APOが減速領域Ｂに入ると、目標加速度を負とする加速度フィードバック制御を行う（図１３参照）。
【００４５】
定速走行制御部１４ａは、加速領域Ａでの加速度フィードバック制御中、実車速がそのときの目標車速を超えていると車速フィードバック制御を禁止し、実車速がそのときの目標車速以下であると車速フィードバック制御を許可する。減速領域Ｂでの加速度フィードバック制御中、実車速がそのときの目標車速以下であると車速フィードバック制御を禁止し、実車速がそのときの目標車速を超えていると車速フィードバック制御を許可する（図８参照）。
【００４６】
定速走行制御部１４ａは、走行負荷抵抗に対して車速VSPを維持するのに必要なR/L駆動力を推定する。そして、加速度フィードバック制御で用いられる正負の目標加速度を、R/L駆動力を基準とし、最大駆動力とゼロ駆動力を用いて算出される余剰駆動力に基づいて算出する（図９参照）。
【００４７】
定速走行制御部１４ａは、定速走行制御を実現する目標駆動力を算出し、目標駆動力を、エンジン１の回転数とトルクの関係による動作線マップを用いて目標変速比と目標トルクに配分する。そして、ＣＶＴコントロールユニット８に対して配分した目標変速比を得る変速要求を出力する。エンジンコントロールユニット９に対して配分した目標トルクを得るトルクダウン要求を出力する（図３、図９参照）。
【００４８】
［定速走行制御処理構成］
図４は、実施例１の運転支援コントロールユニット１４の定速走行制御部１４ａにて実行される定速走行制御処理の流れを示す。以下、図４の各ステップについて説明する。なお、図４では、車速を“VSP”と、アクセル開度を“APO”と、車速フィードバック制御を“車速F/B”と、加速度フィードバック制御を“加速度F/B”と、略記する。
【００４９】
ステップＳ０では、スタートに続き、制御禁止条件が不成立であるか否かを判断する。YES（制御禁止条件不成立）の場合はステップＳ１へ進み、NO（制御禁止条件成立）の場合はリターンへと進む。
【００５０】
ここで、「制御禁止条件成立」とは、VDCが作動したとき、タイヤが空転したとき、Ｎレンジを選択したとき、システム異常があるとき、等をいう。なお、「VDC（Vehicle Dynamics Controlの略称）」とは、各輪の制動力制御や駆動力制御により車両の挙動を制御する車両挙動制御のことをいう。
【００５１】
ステップＳ１では、ステップＳ０での制御禁止条件不成立であるとの判断に続き、車速VSPが定速走行制御を許可する制御車速領域であるか否かを判断する。YES（VSPが制御車速領域内）の場合はステップＳ２へ進み、NO（VSPが制御車速領域外）の場合はリターンへと進む。
【００５２】
ここで、「車速VSP」の情報は、車速センサ８１からの車速センサ値により取得する。「制御車速領域」は、定速走行制御を許可する制御対象車速域として予め設定される車速範囲をいう。制御車速領域としては、図５の車速軸とアクセル開度軸による二軸座標面に示すように、第１車速VSP1（例えば、40km/h程度）から第２車速VSP2（例えば、100km/h程度）をいう。
【００５３】
ステップＳ２では、ステップＳ１でのVSPが制御車速領域内であるとの判断に続き、アクセル開度APOが、下側閾値αより高く上側閾値βより低いか否かを判断する。YES（APOが定速領域内）の場合はステップＳ３へ進み、NO（APOが定速領域外）の場合はステップＳ９へ進む。
【００５４】
ここで、「アクセル開度APO」の情報は、アクセル開度センサ８７からのアクセル開度センサ値により取得する。「定速領域」は、定速走行を維持するアクセル開度領域として車速VSPに応じて予め決められている中間アクセル開度範囲（例えば、10%〜20%の開度範囲）をいう。
【００５５】
定速領域Ｃとしては、図５の車速軸とアクセル開度軸による二軸座標面に示すように、下側閾値αと上側閾値βの特性線を、車速上昇によるR/L駆動力の上昇勾配に一致させて車速VSPが高くなるほど高アクセル開度値に設定している。そして、全アクセル開度領域を、下側閾値αから上側閾値βまでの車速VSPの上昇により拡大するアクセル開度幅による定速領域Ｃと、上側閾値βより高開度の加速領域Ａと、下側閾値αより低開度の減速領域Ｂとに分けている。よって、そのときの車速VSPによりアクセル開度軸方向に切り取ると下側閾値αと上側閾値βが決まり、下側閾値α＜アクセル開度APO＜上側閾値βであると、アクセル開度APOが定速領域Ｃ内に存在していると判断される。
【００５６】
さらに、上側閾値βは、定速走行モードの実行中、図６に示すように、ドライバーによりアクセル踏み増し操作が行われると上側閾値βを狭めた後、徐々に上側閾値βが元に戻される。下側閾値αは、定速走行モードの実行中、ドライバーによりアクセル踏み戻し操作が行われると下側閾値αを狭めた後、徐々に下側閾値αを元に戻される。
【００５７】
ステップＳ３では、ステップＳ２でのAPOが定速領域内であるとの判断に続き、そのときの車速VSP（＝車速センサ８１による実車速）を目標車速VSP*に設定し、設定した目標車速VSP*を維持する定速走行モードを実行し、ステップＳ４へ進む。
【００５８】
ステップＳ４では、ステップＳ３での定速走行モードの実行に続き、初回定速走行モードであるか否かを判断する。YES（初回定速走行モード）の場合はステップＳ５へ進み、NO（初回以外の定速走行モード）の場合はステップＳ６へ進む。
【００５９】
ステップＳ５では、ステップＳ４での初回定速走行モードであるとの判断に続き、定速領域Ｃに入った瞬間の実車速である現在の車速VSPを目標車速VSP*にセットし、ステップＳ６へ進む。
【００６０】
ステップＳ６では、ステップＳ５での目標車速セット、或いは、ステップＳ４での初回以外の定速走行モードであるとの判断に続き、車速F/Bを行い、ステップＳ７へ進む。
【００６１】
ここで、「車速F/B」とは、目標車速VSP*と実車速VSPの車速偏差を無くすように駆動力を増減制御する車速フィードバック制御をいう。
「車速F/B」は、例えば、PID制御（P：比例、I：積分、D：微分）とする。
【００６２】
ステップＳ７では、Ｓ６，Ｓ１４，Ｓ１９での車速F/B、或いは、Ｓ１３，Ｓ１８でのNOとの判断に続き、加速度F/Bを行い、リターンへ進む。
【００６３】
ここで、「加速度F/B」とは、目標加速度dV/dt*と実加速度dV/dtの加速度偏差を無くすように駆動力を増減制御する加速度フィードバック制御をいう。
「加速度F/B」は、アクセル開度領域の全域で行い、例えば、PI制御とする。
【００６４】
ステップＳ９では、ステップＳ２でのAPOが定速領域外であるとの判断に続き、アクセル開度APOが、下側閾値α以下であるか否かを判断する。YES（アクセル開度APO≦α）の場合はステップＳ１０へ進み、NO（アクセル開度APO＞α）の場合はステップＳ１５へ進む。
【００６５】
ステップＳ１０では、ステップＳ９でのアクセル開度APO≦αであるとの判断に続き、車速VSPの低下を許容する減速モードを実行し、ステップＳ１１へ進む。
【００６６】
ステップＳ１１では、ステップＳ１０での減速モードの実行に続き、前回加速モードであるか否かを判断する。YES（前回加速モードである）の場合はステップＳ１２へ進み、NO（前回加速モードでない）の場合はステップＳ１３へ進む。
【００６７】
ステップＳ１２では、ステップＳ１１での前回加速モードであるとの判断に続き、減速領域Ｂから定速領域Ｃに入った瞬間の実車速である現在の車速VSPを目標車速VSP*にセットし、ステップＳ１３へ進む。
【００６８】
ステップＳ１３では、ステップＳ１１での前回加速モードでないとの判断、或いは、ステップＳ１２での目標車速セットに続き、車速VSPがそのときの目標車速VSP*を超えているか否かを判断する。YES（車速VSP＞目標車速VSP*）の場合はステップＳ１４へ進み、NO（車速VSP≦目標車速VSP*）の場合はステップＳ７へ進む。
【００６９】
ステップＳ１４では、ステップＳ１３での車速VSP＞目標車速VSP*であるとの判断に続き、車速F/Bを行い、ステップＳ７へ進む。
【００７０】
ステップＳ１５では、ステップＳ９でのアクセル開度APO＞αであるとの判断に続き、車速VSPの上昇を許容する加速モードを実行し、ステップＳ１６へ進む。
【００７１】
ステップＳ１６では、ステップＳ１５での加速モードの実行に続き、前回減速モードであるか否かを判断する。YES（前回減速モードである）の場合はステップＳ１７へ進み、NO（前回減速モードでない）の場合はステップＳ１８へ進む。
【００７２】
ステップＳ１７では、ステップＳ１６での前回減速モードであるとの判断に続き、加速領域Ａから定速領域Ｃに入った瞬間の実車速である現在の車速VSPを目標車速VSP*にセットし、ステップＳ１８へ進む。
【００７３】
ここで、ステップＳ１２及びステップＳ１７での目標車速VSP*のセットは、図７に示すように、アクセル開度APOと下側閾値αと上側閾値βを用いて目標車速VSP*をセットする（目標車速セット点Ｐ１〜Ｐ４）。即ち、アクセル開度APOが中間開度域（α＜APO＜β）の定速領域Ｃに入った瞬間の車速VSPのみではなく、アクセル開度APOの即離しやアクセル開度APOの即踏みも考慮して上側閾値β以下、又は、下側閾値α以上となったエッジでキープする。つまり、必ずしも所定範囲内ではない。
【００７４】
ステップＳ１８では、ステップＳ１６での前回減速モードでないとの判断、或いは、ステップＳ１７での目標車速セットに続き、車速VSPがそのときの目標車速VSP*以下であるか否かを判断する。YES（車速VSP≦目標車速VSP*）の場合はステップＳ１９へ進み、NO（車速VSP＞目標車速VSP*）の場合はステップＳ７へ進む。
【００７５】
ステップＳ１９では、ステップＳ１８での車速VSP≦目標車速VSP*であるとの判断に続き、車速F/Bを行い、ステップＳ７へ進む。
【００７６】
ここで、定速走行制御処理における車速F/Bと加速度F/Bの使い分けを整理すると、図８に示すようになる。即ち、定速領域Ｃ、加速領域Ａ、減速領域Ｂで常に加速度F/Bをしつつ、定速領域Ｃで車速F/Bを許可する。但し、アクセル踏み込み操作であるにもかかわらず減速するとき追加で車速F/Bを効かせ、アクセル踏み戻し操作であるにもかかわらず加速するとき追加で車速F/Bを効かせるようにしている。
【００７７】
［駆動力制御処理構成］
図９は、図４の定速走行制御処理で用いる車速フィードバック制御（車速F/B）と加速度フィードバック制御（加速度F/B）による駆動力制御処理の流れを示す。以下、図９の各ステップについて説明する。
【００７８】
ステップＳ２１では、スタートに続き、走行負荷抵抗にかかわらず一定車速を維持するのに必要な駆動力であるR/L駆動力Ｆoを推定し、ステップＳ２２へ進む。
【００７９】
ここで、「R/L駆動力Ｆo」は、図１０に示すように、加速領域Ａや減速領域Ｂでの目標駆動力Ｆ*の基準駆動力になるものであり、下記の式(1)を変形した下記の式(2)で推定できる。
ｍ・dV/dt＝Ｆ−RL            …(1)
RL＝Ｆ−ｍ・dV/dt            …(2)
但し、ｍ：車重、dV/dt：加速度、Ｆ：駆動力、RL：走行抵抗等の諸々外乱駆動力である。
つまり、R/L駆動力Ｆoは、一定速を維持（dV/dt＝０）しているR/Lアクセル開度のときの駆動力Ｆ(R/L開度)であり、
Ｆo＝Ｆ(R/L開度)＝Te×変速比×ファイナルギヤ比÷タイヤ径        …(3)
Te：R/Lアクセル開度でのエンジントルク
による式(3)で算出される。なお、最終的なR/L駆動力Ｆoは、ノイズ除去等の目的で一次遅れ演算等によるフィルタを入れる。
【００８０】
ステップＳ２２では、ステップＳ２１でのR/L駆動力Ｆoの推定に続き、R/L駆動力Ｆoを基準とする余剰駆動力を算出し、ステップＳ２３へ進む。
【００８１】
ここで、余剰駆動力は、R/L駆動力Ｆoを基準とする駆動力差分と割り付け係数を掛け合わせることで算出される。例えば、図１０に示す加速領域Ａでの余剰駆動力は、そのときのアクセル開度APOにより全開開度(8/8開度)を１としR/L開度をゼロとする加速領域分割係数を求める。そして、図１１に示すアクセル全開時のMAX駆動力を１としR/L駆動力を０とする加速割り付け係数特性（平坦、降坂、登坂）を用い、加速領域分割係数から加速割り付け係数を決める。そして、駆動力差分（＝MAX駆動力−R/L駆動力）と決めた加速割り付け係数を掛け合わせることで算出する。なお、減速領域Ｂでの余剰駆動力も、駆動力差分（＝R/L駆動力−MIN駆動力）を用いて同様に算出する。
【００８２】
ステップＳ２３では、ステップＳ２２での余剰駆動力の算出に続き、余剰駆動力に基づいて目標加速度dV/dt*を算出し、ステップＳ２４へ進む。
ここで、「目標加速度dV/dt*」は、
dV/dt*＝余剰駆動力÷車重              …(4)
の式(4)により算出される。
【００８３】
ステップＳ２４では、ステップ２３での目標加速度dV/dt*の算出に続き、車速F/Bが許可されているか否かを判断する。YES（車速F/B許可）の場合はステップＳ２５へ進み、NO（車速F/B禁止）の場合はステップＳ２６へ進む。
【００８４】
ステップＳ２５では、ステップＳ２４での車速F/B許可であるとの判断に続き、ステップＳ２２での余剰駆動力と車速F/B分の補正駆動力と加速度F/B分の補正駆動力により目標駆動力Ｆ*を算出し、ステップＳ２７へ進む。
【００８５】
ここで、車速F/B分の補正駆動力は、目標車速VSP*と実車速VSPの車速偏差に応じたPID制御により求められる駆動力をいう。加速度F/B分の補正駆動力は、目標加速度dV/dt*と実加速度dV/dtの加速度偏差に応じたPI制御により求められる駆動力をいう。
【００８６】
ステップＳ２６では、ステップＳ２４での車速F/B禁止であるとの判断に続き、ステップＳ２２での余剰駆動力と加速度F/B分の補正駆動力により目標駆動力Ｆ*を算出し、ステップＳ２７へ進む。
【００８７】
ここで、ステップＳ２４での判断において、車速F/B許可→車速F/B禁止、又は、車速F/B禁止→車速F/B許可へと移行する過渡期は、車速F/Bの繋ぎを０〜１の許可係数により線形補正し、操作量の急変を避ける。つまり、PDは操作量に許可係数を掛け、Iは成分前の偏差に許可係数を掛けて、車速F/B許可/禁止を滑らかに繋ぐ。
【００８８】
ステップＳ２７では、ステップＳ２５又はステップＳ２６での目標駆動力Ｆ*の算出に続き、目標駆動力Ｆ*のフィルタリングを行い、ステップＳ２８へ進む。
【００８９】
ここで、目標駆動力Ｆ*のフィルタリングは、パワートレーン固有値を十分カットする領域で操作する。その理由は、駆動力操作によりパワートレーン固有値の振動（共振）を誘発することは避けたいことによる。
【００９０】
ステップＳ２８では、ステップＳ２７での目標駆動力のフィルタリングに続き、図１２に示す動作線マップを用い、目標駆動力Ｆ*を目標変速比と目標トルクに配分するための動作点（Ne,Nt）を決定し、ステップＳ２８へ進む。
【００９１】
ここで、目標駆動力Ｆ*が算出されると、図１２に示す動作線マップを用いることで、目標駆動力Ｆ*と動作線との交点により、動作点であるエンジン回転数NeとエンジントルクNtが決まる。なお、図１２に示す動作線は、燃費性能等により設定される。
【００９２】
ステップＳ２９では、ステップＳ２８での動作点の決定に続き、エンジン回転数Neからバリエータ４の目標変速比を設定し、ＣＶＴコントロールユニット８に対しバリエータ４の変速比を目標変速比とする変速比要求を出力し、ステップＳ３０へ進む。
【００９３】
ここで、目標変速比は、動作線マップによるエンジン回転数Neをバリエータ入力回転数とする。そして、そのときのセカンダリ回転数Nsecをバリエータ出力回転数とすることで目標変速比が設定される。そして、設定された目標変速比は、ふらつかないようにフィルタがかけられる。なお、目標トルクよりも目標変速比を先に決める理由は、変速比よりもエンジントルクの方が、応答速度が速く、変速比を細かく動かすと回転変化が頻繁に発生し、違和感が出る可能性が高いことによる。
【００９４】
ステップＳ３０では、ステップＳ２９でのＣＶＴコントロールユニット８に対する変速比要求を出力に続き、エンジンコントロールユニット９に対しエンジン１の出力トルクを目標トルクとするトルクダウン要求を出力し、リターンへ進む。
【００９５】
ここで、目標トルクは、目標駆動力Ｆ*とそのときのバリエータ４の変速比から計算し、目標トルクを制限トルクとしてトルクダウン要求を出力する。このとき、フルトルクコントロールができればよいが、実施例１ではトルクダウン制御のみで実現する。このため、定速領域Ｃのアクセル開度範囲を予め高めのアクセル開度に設定し、エンジントルクを出せる状態にしておいて、トルクダウンによりエンジントルクを抑え込んだ状態でトルクコントロールを行う。
【００９６】
次に、実施例１の作用を、「既存の定速走行制御技術」、「定速走行制御処理作用」、「駆動力制御処理作用」、「ワンペダル操作による定速走行制御作用」に分けて説明する。
【００９７】
［既存の定速走行制御技術］
アクセルペダルを踏み続けることなくセットした一定速度を維持する定速走行制御機能を発揮する既存技術として、クルーズコントロールシステム（「ASCD」や「オートクルーズシステム」と称されることもある。）が知られている。
【００９８】
クルーズコントロールシステムを使用すると、アクセルペダルを踏まずに走行（例えば40km/h〜100km/hの車速）できるというように、運転者の疲労軽減並びに同乗者の快適性向上に寄与する。しかし、クルーズコントロールシステムを使用するためには、下記に述べるドライバーによる煩わしいスイッチ操作等を要する。
【００９９】
まず、クルーズコントロールシステムを作動するときは、メインスイッチを押してONにする。そして、目標車速を設定するときは、希望する車速まで加速し、セットスイッチを短く押すとディスプレイにセットインジケーターが表示され、アクセルペダルから足を離すと、定速走行モードを開始し、目標車速が維持される。そして、追い越しを行なうときはアクセルペダルを踏み込む操作をする。アクセルペダルを踏み込んだ後、アクセルペダルから足を離すと、車速は目標車速に復帰する。
【０１００】
クルーズコントロールシステムの作動を停止するときは、次のいずれかの操作を行う。1. キャンセルスイッチを押す。
2. セットスイッチ等を押しながらブレーキペダルを軽く踏む。
3. メインスイッチをOFFにする。
【０１０１】
なお、車速が最低車速以下になったとき、設定車速より実車速が設定車速以上低下したとき、VDCが作動したとき、タイヤが空転したとき、Ｎレンジを選択したとき、システム異常があるときは、自動的にクルーズコントロールシステムの作動が停止する。
【０１０２】
目標車速を上げるときは、次のいずれかの操作を行なう。
・アクセルペダルを踏み込み、希望の車速に達した時点でセットスイッチを短く押す。
・リジューム/アクセラレートスイッチを押し続け、希望の車速に達した時点でスイッチから手を離す。
・リジューム/アクセラレートスイッチを短く押し、希望の車速にする。なお、スイッチを押すごとに約1.0km/hずつ目標車速が高くなる。
【０１０３】
目標車速を下げるときは、次のいずれかの操作を行なう。
・ブレーキペダルを軽く踏み、希望の速度に達した時点で、セットスイッチを短く押す。
・セットスイッチを押し続け、希望の速度まで減速した時点でスイッチから手を離す。
・セットスイッチを短く押し、希望の速度にする。なお、スイッチを押すごとに、約1.0km/hずつ目標車速が低くなる。
【０１０４】
［定速走行制御処理作用］
実施例１は、上記のような操作をアクセルペダルのみの操作で直感的に実施することを目指した。以下、図４のフローチャートに基づいて定速走行制御処理作用を説明する。
【０１０５】
車速VSPが定速走行制御を許可する制御車速領域であり、かつ、アクセル踏み込み操作によりアクセル開度APOが下側閾値αを超えて定速領域Ｃに入ったときは、図４のフローチャートにおいて、Ｓ０→Ｓ１→Ｓ２→Ｓ３→Ｓ４→Ｓ５へと進む。Ｓ５では、定速領域Ｃに入った瞬間の車速VSP（車速センサ８１による実車速）が目標車速VSP*に設定され、設定された目標車速VSP*を維持する“定速走行モード”が開始される。
【０１０６】
定速走行モードの開始後、アクセル開度APOが定速領域Ｃに存在したままであると、Ｓ２→Ｓ３→Ｓ４→Ｓ６→Ｓ７へと進む流れが繰り返される。Ｓ６では、Ｓ５で設定された目標車速VSP*を用いた車速F/Bが許可され、Ｓ７では、目標加速度＝０での加速度F/Bが実行される。
【０１０７】
定速走行モードの実行中、アクセル開度APOが上側閾値β以上になり、定速領域Ｃから加速領域Ａに入り、実車速VSP＞目標車速VSP*であると、Ｓ２からＳ９→Ｓ１５→Ｓ１６→Ｓ１８→Ｓ７へと進む。つまり、目標車速VSP*を用いた車速F/Bが禁止され、目標加速度＞０での加速度F/Bが実行される。
【０１０８】
アクセル開度APOが加速領域Ａに存在し、実車速VSP＞目標車速VSP*から実車速VSP≦目標車速VSP*へ移行すると、Ｓ１８からＳ１９→Ｓ７へと進む。Ｓ１９では、そのときの目標車速VSP*を用いた車速F/Bが許可され、目標加速度＞０での加速度F/Bが実行される。
【０１０９】
アクセル踏み戻し操作により加速領域Ａから定速領域Ｃに入ると、Ｓ２→Ｓ３→Ｓ４→Ｓ５→Ｓ６→Ｓ７へと進む。Ｓ６では、Ｓ５で設定された目標車速VSP*を用いた車速F/Bが許可され、Ｓ７では、目標加速度＝０での加速度F/Bが実行される。
【０１１０】
定速走行モードの実行中、アクセル開度APOが下側閾値α以下になり、定速領域Ｃから減速領域Ｂに入り、実車速VSP≦目標車速VSP*であると、Ｓ２からＳ９→Ｓ１０→Ｓ１１→Ｓ１３→Ｓ７へと進む。つまり、目標車速VSP*を用いた車速F/Bが禁止され、目標加速度＜０での加速度F/Bが実行される。
【０１１１】
アクセル開度APOが減速領域Ｂに存在し、実車速VSP≦目標車速VSP*から実車速VSP＞目標車速VSP*へ移行すると、ステップＳ１３からＳ１４→Ｓ７へと進む。Ｓ１４では、そのときの目標車速VSP*を用いた車速F/Bが許可され、目標加速度＜０での加速度F/Bが実行される。
【０１１２】
アクセル踏み込み操作により減速領域Ｂから定速領域Ｃに入ると、Ｓ２→Ｓ３→Ｓ４→Ｓ５→Ｓ６→Ｓ７へと進む。Ｓ６では、Ｓ５で設定された目標車速VSP*を用いた車速F/Bが許可され、Ｓ７では、目標加速度＝０での加速度F/Bが実行される。
【０１１３】
このように、定速走行制御処理では、車速VSPが制御車速領域での走行中、アクセル踏み込み操作によりアクセル開度APOが定速領域Ｃに入ると、定速領域Ｃに入った瞬間の実車速VSPが目標車速VSP*に設定される。そして、設定された目標車速VSP*を維持する“定速走行モード”が開始される。
【０１１４】
定速走行制御処理では、目標車速VSP*を上げるとき、アクセル踏み込み操作によりアクセル開度APOが加速領域Ａに入る。その後、アクセル踏み戻し操作により加速領域Ａから定速領域Ｃに入ると、定速領域Ｃに入った瞬間の実車速VSPが目標車速VSP*に書き替えられる。
【０１１５】
定速走行制御処理では、目標車速VSP*を下げるとき、アクセル踏み戻し操作によりアクセル開度APOが減速領域Ｂに入る。その後、アクセル踏み込み操作により減速領域Ｂから定速領域Ｃに入ると、定速領域Ｃに入った瞬間の実車速VSPが目標車速VSP*に書き替えられる。
【０１１６】
定速走行制御処理では、アクセル踏み込み操作により加速領域Ａにいるとき、原則として車速F/Bを禁止し、目標加速度＞０での加速度F/Bが実行される。しかし、加速領域Ａにいるときに登坂等で直前に設定された目標車速VSP*よりも減速する場合には、車速F/Bを再開し、少なくとも直前に設定された目標車速VSP*以下にならないようにされる。
【０１１７】
定速走行制御処理では、アクセル踏み戻し操作により減速領域Ｂにいるとき、原則として車速F/Bを禁止し、目標加速度＜０での加速度F/Bが実行される。しかし、減速領域Ｂにいるときに降坂等で直前に設定された目標車速VSP*よりも加速する場合には、車速F/Bを再開し、少なくとも直前に設定された目標車速VSP*を超えないようにされる。
【０１１８】
［駆動力制御処理作用］
以下、図９に示すフローチャートに基づいて駆動力制御処理作用を説明する。
車速F/Bが許可されているときは、図９のフローチャートにおいて、Ｓ２１→Ｓ２２→Ｓ２３→Ｓ２４→Ｓ２５→Ｓ２７→Ｓ２８→Ｓ２９→Ｓ３０という流れが繰り返される。
Ｓ２１では、R/L駆動力Ｆoが推定され、Ｓ２２では、R/L駆動力Ｆoを基準とする余剰駆動力が算出され、ステップＳ２３では、余剰駆動力に基づいて目標加速度dV/dt*が算出される。
【０１１９】
Ｓ２４での車速F/B許可であるとの判断に続く、Ｓ２５では、ステップＳ２２での余剰駆動力と車速F/B分の補正駆動力と加速度F/B分の補正駆動力により目標駆動力Ｆ*が算出される。Ｓ２７では、目標駆動力Ｆ*のフィルタリングが行われ、Ｓ２８では、目標駆動力Ｆ*を変速比とエンジントルクに配分するための動作点が決定される。Ｓ２９では、ＣＶＴコントロールユニット８に対しバリエータ４の変速比を目標変速比とする変速比要求が出力され、Ｓ３０では、エンジンコントロールユニット９に対しエンジン１の出力トルクを目標トルクとするトルクダウン要求が出力される。
【０１２０】
車速F/Bが禁止されているときは、図９のフローチャートにおいて、Ｓ２１→Ｓ２２→Ｓ２３→Ｓ２４→Ｓ２６→Ｓ２７→Ｓ２８→Ｓ２９→Ｓ３０という流れが繰り返される。
Ｓ２４での車速F/B禁止であるとの判断に続く、Ｓ２６では、ステップＳ２２での余剰駆動力と加速度F/B分の補正駆動力により目標駆動力Ｆ*が算出される。
【０１２１】
Ｓ２４での判断において、車速F/B許可→車速F/B禁止、又は、車速F/B禁止→車速F/B許可へと移行するときは、車速F/Bの繋ぎを０〜１の許可係数により線形補正される。
【０１２２】
このように、駆動力制御処理では、車速F/B/加速度F/Bにより定速走行制御を実現する目標駆動力Ｆ*が算出される。目標駆動力Ｆ*が算出されると、エンジン１の回転数NeとトルクNtの関係による動作線マップを用い、目標駆動力Ｆ*が目標変速比と目標トルクに配分される。そして、ＣＶＴコントロールユニット８に対しては、配分された目標変速比を得る変速要求が出力される。エンジンコントロールユニット９に対しては、配分された目標トルクを得るトルクダウン要求が出力される。
【０１２３】
駆動力制御処理では、車速F/Bの許可領域と車速F/Bの禁止領域とを互いに繋ぐとき、線形補完により駆動力操作量の急変を避けることで、２つの領域がスムーズに繋げられる。
【０１２４】
［ワンペダル操作による定速走行制御作用］
図１３は、定速→加速→定速→加速→定速→減速→定速へと移行する走行シーンにおける各特性を示す。図１４は、加速領域での加速度フィードバック制御中に実車速が目標車速よりも低下するシーンにおける各特性を示す。以下、図１３及び図１４に基づいてワンペダル操作による定速走行制御作用を説明する。
【０１２５】
図１３の時刻t1までに、アクセル踏み込み操作によりアクセル開度APOが定速領域Ｃに入り、定速領域Ｃに入った瞬間の車速VSPが目標車速1に設定され、設定された目標車速１を維持する“定速走行モード”が開始されているとする。
【０１２６】
時刻t1にてアクセル踏み込み操作によりアクセル開度APOが定速領域Ｃから加速領域Ａに入ると、車速F/Bが時刻t1までのONからOFFへとスムーズに移行し、加速度F/Bが時刻t1までのＧ＝０からＧ＞０へと移行する。この加速度F/Bによって、車速VSPが時刻t1での車速（≒目標車速１）からドライバーの加速要求にしたがって上昇する。
【０１２７】
時刻t2にてアクセル踏み戻し操作によりアクセル開度APOが加速領域Ａから定速領域Ｃに入ると、まず、目標車速が、目標車速１から定速領域Ｃに入った瞬間の目標車速２（＞目標車速１）に書き替えられる。同時に、車速F/Bが時刻t2までのOFFからONへとスムーズに移行し、加速度F/Bが時刻t2までのＧ＞０からＧ＝０へと移行する。この車速F/Bによって、車速VSPが時刻t2での車速（＝目標車速２）をそのまま維持するように制御される。
【０１２８】
時刻t3にてアクセル踏み込み操作によりアクセル開度APOが定速領域Ｃから加速領域Ａに入ると、車速F/Bが時刻t3までのONからOFFへとスムーズに移行し、加速度F/Bが時刻t3までのＧ＝０からＧ＞０へと移行する。この加速度F/Bによって、車速VSPが時刻t3での車速（≒目標車速２）からドライバーの加速要求にしたがって上昇する。
【０１２９】
時刻t4にてアクセル踏み戻し操作によりアクセル開度APOが加速領域Ａから定速領域Ｃに入ると、まず、目標車速が、目標車速２から定速領域Ｃに入った瞬間の目標車速３（＞目標車速２）に書き替えられる。同時に、車速F/Bが時刻t4までのOFFからONへとスムーズに移行し、加速度F/Bが時刻t4までのＧ＞０からＧ＝０へと移行する。この車速F/Bによって、車速VSPが時刻t4での車速（＝目標車速３）をそのまま維持するように制御される。
【０１３０】
時刻t5にてアクセル踏み戻し操作によりアクセル開度APOが定速領域Ｃから減速領域Ｂに入ると、車速F/Bが時刻t5までのONからOFFへとスムーズに移行し、加速度F/Bが時刻t5までのＧ＝０からＧ＜０へと移行する。この加速度F/Bによって、車速VSPが時刻t5での車速（≒目標車速３）からドライバーの減速要求にしたがって低下する。
【０１３１】
時刻t6にてアクセル踏み込み操作によりアクセル開度APOが減速領域Ｂから定速領域Ｃに入ると、まず、目標車速が、目標車速３から定速領域Ｃに入った瞬間の目標車速４（＜目標車速３）に書き替えられる。同時に、車速F/Bが時刻t6までのOFFからONへとスムーズに移行し、加速度F/Bが時刻t6までのＧ＜０からＧ＝０へと移行する。この車速F/Bによって、車速VSPが時刻t6での車速（＝目標車速４）をそのまま維持するように制御される。
【０１３２】
このように、アクセル開度APOの定速領域に入るアクセル踏み込み操作によって目標車速VSP*を設定し、定速走行モードを開始する。目標車速VSP*を上げる目標車速VSP*の書き替えは、アクセル踏み込み操作中にドライバーの希望する車速になったタイミングでアクセル戻し操作をすることにより行われる。さらに、目標車速VSP*を下げる目標車速の書き替えは、アクセル踏み戻し操作中にドライバーの希望する車速になったタイミングでのアクセル踏み操作をすることにより行われる。つまり、アクセルペダルに対するワンペダル操作により、定速走行モードを開始する目標車速VSP*を設定できるばかりでなく、目標車速VSP*の適宜変更を行うことができる。
【０１３３】
加速領域での加速度フィードバック制御中に登坂路走行等による走行負荷の増大により実車速が目標車速よりも低下するシーンについて図１４に基づいて説明する。
【０１３４】
時刻t1にてアクセル踏み込み操作によりアクセル開度APOが定速領域Ｃから加速領域Ａに入ると、車速F/Bが時刻t1までのONからOFFへとスムーズに移行し、加速度F/Bが時刻t1までのＧ＝０からＧ＞０へと移行する。この加速度F/Bによって、車速VSPが時刻t1での車速（≒目標車速）からドライバーの加速要求にしたがって上昇するが、途中で登坂路走行等に入ると、走行負荷の増大により減速を開始する。
【０１３５】
減速を開始した後、時刻t2にて車速VSPが目標車速以下になると、車速F/Bが時刻t2までのOFFからONへとスムーズに移行し、車速F/Bの再開により車速VSPの低下が抑えられる。そして、登坂路等を抜けて時刻t3にて車速VSPが目標車速を超えると、車速F/Bが時刻t3までのONからOFFへとスムーズに移行する。このため、Ｇ＞０での加速度F/Bによって、時刻t3以降において車速VSPが時刻t3での車速（≒目標車速）からドライバーの加速要求にしたがって上昇する。
【０１３６】
このように、加速領域での加速度F/B中に減速が介入すると、Ｇ＞０での加速度F/Bを維持したままで、車速F/Bが再開される。この車速F/Bの再開によって、少なくとも直前に設定された目標車速以下にならないように駆動力が制御されることで、登坂路走行等に入っても、応答良く減速状態から加速状態への復帰することができる。
【０１３７】
以上説明してきたように、実施例１の車両の運転支援制御装置にあっては、下記に列挙する効果が得られる。
【０１３８】
(1) 走行用駆動源（エンジン１）から駆動輪６へ伝達される駆動力を制御する駆動力制御手段（ＣＶＴコントロールユニット８、エンジンコントロールユニット９）と、ドライバーによる運転操作負担を軽減する運転支援制御を行う運転支援制御手段（運転支援コントロールユニット１４）と、を備える。
運転支援制御手段（運転支援コントロールユニット１４）に、目標車速VSP*が設定されると、実車速VSPを目標車速VSP*に一致させる駆動力制御により車速を維持して走行する定速走行モードを実行する定速走行制御部１４ａを設ける。
定速走行制御部１４ａは、走行中、ドライバーのアクセル操作によるアクセル開度APOが、中間アクセル開度域に設定された下側閾値αから上側閾値βまでの定速領域Ｃに入ると、定速領域Ｃに入ったときの実車速VSPを目標車速VSP*に設定し、定速走行モードを開始する（図４）。
このように、定速走行モードの開始条件を、ドライバーのアクセル操作条件により与えることで、走行中、車速が安定しなくてもワンペダル操作により定速走行モードに入ることができる。なお、既存のクルーズコントロールシステムのように、アクセルペダルを踏まずに定速走行モードを維持することはできないが、走行中に車速を維持するために行われるドライバーによる細かいアクセル調整操作の負担を軽減できる。
【０１３９】
(2) 定速走行制御部１４ａは、全アクセル開度領域を、下側閾値αから上側閾値βまでのアクセル開度幅による定速領域Ｃと、上側閾値βより高開度の加速領域Ａと、下側閾値αより低開度の減速領域Ｂとに分ける。
下側閾値αと上側閾値βを、車速上昇によるロード/ロード駆動力（R/L駆動力）の上昇勾配に応じて車速VSPが高くなるほど高アクセル開度値に設定する（図５）。
このように、定速領域Ｃをロード/ロード駆動力（R/L駆動力）に沿って設定することで、走行中の車速VSPが低速域であるか高速域であるかに合わせて定速走行モードを維持できる適正な目標車速VSP*に設定することができる。
【０１４０】
(3) 定速走行制御部１４ａは、定速走行モードの実行中、ドライバーのアクセル踏み込み操作によりアクセル開度APOが加速領域Ａに入った後、アクセル踏み戻し操作によりアクセル開度APOが定速領域Ｃに入ると、定速領域Ｃに入ったときの実車速VSPに目標車速VSP*を書き替える。
定速走行モードの実行中、ドライバーのアクセル踏み戻し操作によりアクセル開度APOが減速領域Ｂに入った後、アクセル踏み込み操作によりアクセル開度APOが定速領域Ｃに入ると、定速領域Ｃに入ったときの実車速VSPに目標車速VSP*を書き替える（図１１）。
このように、目標車速VSP*の書き替えを、ドライバーのアクセル操作の変化により行うことで、定速走行モードでの走行中、ドライバーの加減速要求に合わせたワンペダル操作により、設定されている目標車速VSP*を書き替えることができる。
【０１４１】
(4) 定速走行制御部１４ａは、定速走行モードの実行中、ドライバーによりアクセル踏み増し操作が行われると上側閾値βを狭めた後、徐々に上側閾値βを元に戻す。
定速走行モードの実行中、ドライバーによりアクセル踏み戻し操作が行われると下側閾値αを狭めた後、徐々に下側閾値αを元に戻す。
このように、ドライバーによるアクセル踏み増し踏み戻し操作によりアクセル開度幅による定速領域Ｃを狭める制御を行うことで、設定されている目標車速VSP*の書き替えをアクセル操作によるドライバーの意図に合わせて促すことができる。
【０１４２】
(5) 定速走行制御部１４ａは、定速走行モードを実行中、アクセル開度APOが定速領域Ｃに入ったままであると、目標車速VSP*と実車速VSPの偏差を用いる車速フィードバック制御（車速F/B）と、目標加速度α*をゼロとする加速度フィードバック制御（加速度F/B）を行う。
定速走行モードの実行中、ドライバーのアクセル踏み込み操作によりアクセル開度APOが加速領域Ａに入ると、目標加速度α*を正とする加速度フィードバック制御（加速度F/B）を行う。
定速走行モードの実行中、ドライバーのアクセル踏み戻し操作によりアクセル開度APOが減速領域Ｂに入ると、目標加速度α*を負とする加速度フィードバック制御（加速度F/B）を行う（図６）。
このように、加速領域Ａと減速領域Ｂでは加速度フィードバック制御（加速度F/B）を行うことで、定速走行モードでの走行中、定速領域Ｃから加速領域Ａに入った後の加速性能と定速領域Ｃから減速領域Ｂに入った後の減速性能を確保することができる。
【０１４３】
(6) 定速走行制御部１４ａは、加速領域Ａでの加速度フィードバック制御中、実車速VSPがそのときの目標車速VSP*を超えていると車速フィードバック制御（車速F/B）を禁止し、実車速VSPがそのときの目標車速VSP*以下であると車速フィードバック制御（車速F/B）を許可する。
減速領域Ｂでの加速度フィードバック制御中、実車速VSPがそのときの目標車速VSP*以下であると車速フィードバック制御（車速F/B）を禁止し、実車速VSPがそのときの目標車速VSP*を超えていると車速フィードバック制御（車速F/B）を許可する（図６）。
このように、加速領域Ａでの減速や減速領域Ｂでの加速に対して車速フィードバック制御（車速F/B）を許可することで、加速領域Ａでの減速状態から加速状態への復帰応答と減速領域Ｂでの加速状態から減速状態への復帰応答を高くすることができる。
【０１４４】
(7) 定速走行制御部１４ａは、走行負荷抵抗に対して車速VSPを維持するのに必要なロード/ロード駆動力（R/L駆動力）を推定する。
加速度フィードバック制御（加速度F/B）で用いられる正負の目標加速度α*を、ロード/ロード駆動力（R/L駆動力）を基準とし、最大駆動力とゼロ駆動力を用いて算出される余剰駆動力に基づいて算出する（図７）。
このように、目標加速度α*をロード/ロード駆動力（R/L駆動力）を基準の余剰駆動力に基づいて算出することで、加速領域Ａや減速領域Ｂでの駆動力の過不足を抑えた適正な駆動力制御を行うことができる。
【０１４５】
(8) 駆動力制御手段として、駆動系に搭載された無段変速機（ベルト式無段変速機ＣＶＴ）の変速比を制御するＣＶＴ制御手段（ＣＶＴコントロールユニット８）と、走行用駆動源（エンジン１）の出力トルクを制限するトルクダウン制御を行う走行用駆動源制御手段（エンジンコントロールユニット９）と、を有する。
定速走行制御部１４ａは、定速走行制御を実現する目標駆動力Ｆ*を算出し、目標駆動力Ｆ*を、走行駆動源（エンジン１）の回転数とトルクの関係による動作線マップを用いて目標変速比と目標トルクに配分する。
ＣＶＴ制御手段（ＣＶＴコントロールユニット８）に対して配分した目標変速比を得る変速要求を出力し、走行用駆動源制御手段（エンジンコントロールユニット９）に対して配分した目標トルクを得るトルクダウン要求を出力する（図３）。
このように、駆動力制御を、変速比制御とトルクダウン制御により行うことで、既存技術である変速比制御と走行駆動源（エンジン１）のトルクダウン制御の協調制御技術を活用し、定速走行モード実行中における駆動力制御を行うことができる。
【０１４６】
以上、本発明の車両の運転支援制御装置を実施例１に基づき説明してきた。しかし、具体的な構成については、この実施例1に限られるものではなく、特許請求の範囲の各請求項に係る発明の要旨を逸脱しない限り、設計の変更や追加等は許容される。
【０１４７】
実施例１では、定速走行制御部１４ａとして、定速領域Ｃに入った瞬間の実車速VSPを目標車速VSP*に設定する例を示した。しかし、定速走行制御部としては、定速領域に入ってから所定時間経過後の実車速を目標車速に設定するような例としても良い。
【０１４８】
実施例１では、定速走行制御部１４ａとして、駆動力制御を、変速比制御とトルクダウン制御により行う例を示した。しかし、定速走行制御部としては、駆動力制御を、走行用駆動源の出力トルク制御のみにより行う例としても良い。また、駆動力制御を、変速比制御とブレーキ制御により行う例としても良い。
【０１４９】
実施例１では、定速走行制御部１４ａとして、定速走行制御モードの実行中、自車両の目標車速を設定して定速走行制御を行う例を示した。しかし、定速走行制御部としては、定速走行制御モードの実行中、先行車が存在しないときは目標車速により走行し、先行車が存在するときは自車両と先行車との車間距離を確保しながら走行するというように、周知の定速走行制御を実行する例としても勿論良い。
【０１５０】
実施例１では、本発明の運転支援制御装置を、トルクコンバータと前後進切替機構とバリエータと終減速機構により構成されるベルト式無段変速機を搭載したエンジン車に適用する例を示した。しかし、本発明の運転支援制御装置は、バリエータのみによるベルト式無段変速機に限らず、バリエータと副変速機が直列に連結される副変速機付きベルト式無段変速機を搭載した車両に適用しても良い。また、適用される車両としても、エンジン車に限らず、走行用駆動源にエンジンとモータを搭載したハイブリッド車、走行用駆動源にモータを搭載した電気自動車等に対しても適用できる。
【符号の説明】
【０１５１】
１  エンジン（走行用駆動源）
ＣＶＴ  ベルト式無段変速機（無段変速機）
２  トルクコンバータ
３  前後進切替機構
４  バリエータ
５  終減速機構
６  駆動輪
８  ＣＶＴコントロールユニット（駆動力制御手段：ＣＶＴ制御手段）
９  エンジンコントロールユニット（駆動力制御手段：走行用駆動源制御手段）
１２  エンジン回転数センサ
１４  運転支援コントロールユニット（運転支援制御手段）
１４ａ  定速走行制御部
８１  車速センサ
８７  アクセル開度センサ
８８  定速走行選択スイッチ
【図１】
2019156326.tif 000003
【図２】
2019156326.tif 000004
【図３】
2019156326.tif 000005
【図４】
2019156326.tif 000006
【図５】
2019156326.tif 000007
【図６】
2019156326.tif 000008
【図７】
2019156326.tif 000009
【図８】
2019156326.tif 000010
【図９】
2019156326.tif 000011
【図１０】
2019156326.tif 000012
【図１１】
2019156326.tif 000013
【図１２】
2019156326.tif 000014
【図１３】
2019156326.tif 000015
【図１４】
2019156326.tif 000016